(57)【特許請求の範囲】
【請求項１】
選択可能な複数の選択候補を表示する選択候補表示方法であって、
各選択候補を識別するための識別情報の中から予め定める基準数から１を減算した数の識別情報を予め定める選択条件に従って選択する選択ステップと、
選択ステップで選択された識別情報、および選択候補の変更を指示するための変更指示情報を、予め定める円形の円領域を前記基準数で分割された各領域に割り当てる割当ステップと、
前記基準数で分割された円領域を表す円領域情報を表示し、さらに表示された円領域情報が示す分割された円領域の各領域に、割当ステップで各領域に割り当てられた識別情報および変更指示情報を表示する表示ステップと、
表示されていない識別情報を表示させるための予め定める操作が行われたとき、各選択候補の識別情報の中から、表示されていない識別情報を含み、かつ前記基準数から１を減算した数の識別情報を、予め定める操作に応じて新たに選択する再選択ステップとを含み、
表示ステップでは、再選択ステップで識別情報が新たに選択される度に、変更指示情報を表示する領域を前記予め定める操作に応じた方向に隣接する領域に移動して表示し、前記基準数で分割された領域のうち変更指示情報を表示する領域を除く残余の領域に、再選択ステップで新たに選択された識別情報を表示することを特徴とする選択候補表示方法。
【請求項２】
前記識別情報は、選択候補ごとに異なる数値情報を含み、
前記予め定める円形の円領域を前記基準数で、かつ前記円領域の中心を頂点とする扇形の領域に分割する分割ステップをさらに含み、
前記予め定める選択条件は、識別情報に含まれる数値情報が昇順にまたは降順であるという条件であり、
前記予め定める順序は、各識別情報に含まれる数値情報が前記円領域の中心に対して時計回りの方向に昇順あるいは降順となる順序であることを特徴とする請求項１に記載の選択候補表示方法。
【請求項３】
選択候補の数が予め定める基準数よりも大きいか否かを判定する判定ステップをさらに含み、
前記判定ステップで選択候補の数が前記基準数以下であると判定された場合、
前記分割ステップでは、予め定める円領域を前記選択候補の数で分割し、
前記割当ステップでは、各選択候補のすべての識別情報を、前記分割ステップで分割された各領域に割り当て、
前記表示ステップでは、前記表示された円領域情報が示す分割された各領域に、前記割当ステップで各領域に割り当てられた識別情報を表示することを特徴とする請求項２に記載の選択候補表示方法。
【請求項４】
選択可能な複数の選択候補を表示する選択候補表示装置であって、
予め定める基準数の領域に分割された予め定める円形の円領域を表す円領域情報を表示する表示手段と、
各選択候補を識別するための識別情報の中から前記基準数から１を減算した数の識別情報を予め定める選択条件に従って選択する選択手段と、
選択手段によって選択された識別情報、および選択候補の変更を指示するための変更指示情報を、表示手段に表示される円領域情報が示す円領域の各領域に割り当てる割当手段と、
表示手段に表示される円領域情報が示す円領域の各領域に、割当手段によって各領域に割り当てられた識別情報および変更指示情報を表示手段に表示させる表示制御手段と、
表示手段に表示される領域のうち変更指示情報が表示されている領域に対する予め定める操作を行う操作手段と、
操作手段によって予め定める操作が行われたとき、各選択候補の識別情報の中から、表示されていない識別情報を含み、かつ前記基準数から１を減算した数の識別情報を、予め定める操作に応じて新たに選択する再選択手段とを含み、
表示制御手段は、再選択手段によって識別情報が新たに選択される度に、変更指示情報を表示する領域を前記予め定める操作に応じた方向に隣接する領域に移動して表示手段に表示させ、表示手段に表示される円領域情報が示す領域のうち変更指示情報が表示される領域を除く残余の領域に、再選択手段によって新たに選択された識別情報を表示手段に表示させることを特徴とする選択候補表示装置。
【請求項５】
請求項４に記載の選択候補表示装置と、
前記選択候補表示装置に含まれる表示手段に表示される領域のうち識別情報が表示される領域を操作する識別候補操作手段、および識別候補操作手段によって操作された領域の位置を表す位置情報を出力する位置情報出力手段を含む出力装置とを含むことを特徴とする入出力装置。
【発明の詳細な説明】
【技術分野】
【０００１】
本発明は、選択可能な複数の選択候補を表示する選択候補表示方法、選択候補表示装置および入出力装置に関する。
【背景技術】
【０００２】
従来、テレビあるいはラジオは、各チャネルに対応付けられた操作ボタンを押下、あるいはＧＵＩ（Graphical User Interface）を用いて画面に表示される操作ボタンをポインティングデバイスあるいは指で操作することによって、チャネルを選択する。
【０００３】
第１の従来の技術であるデジタル放送受信装置は、画面の外側上部に複数のＬＥＤ（Light Emitting Diode）が設けられ、受信可能チャネル、および各受信可能チャネルの受信状態を各ＬＥＤによって表示する。さらに各ＬＥＤの近傍に選局ボタンが設けられ、選局ボタンを操作することによって所望するチャネルを選局することができる（たとえば特許文献１参照）。
【０００４】
第２の従来の技術である制御信号入力システムは、同心円上の３本の溝およびその円の中心から放射状に延伸する１２本のガイド溝が形成され、その３本の溝の任意の位置を押すことによって位置情報を入力するインプットデバイスと、それらの溝に対応する位置に選択項目たとえばテレビのチャネルを表示するＧＵＩによる表示部とを含んで構成される。同心円上の３本の溝は、それぞれガイド溝ごとに１２の領域に均等に分割されている。各領域を選択項目に対応させることによって、ユーザが直感的に操作することを可能にしている（たとえば特許文献２参照）。
【０００５】
【特許文献１】特開２００３−２７４３１０号公報
【特許文献２】特開２００６−２２９６２１号公報
【発明の開示】
【発明が解決しようとする課題】
【０００６】
しかしながら、いずれの従来の技術も、選択候補たとえばチャネルを選択するための操作ボタンの数、あるいは選択候補を表示する領域の数が固定されている。外的環境の変化、たとえばチャネルの新設もしくは廃止、あるいは携帯型の装置であれば移動に伴う受信可能なチャネルの変動などの外的環境の変化によって、チャネルの数つまり選択候補の数が増減すると、操作ボタンの数あるいは選択項目の数が不足あるいは余るという問題がある。
【０００７】
本発明の目的は、選択候補の数が増減してもすべての選択候補を無駄なく表示することができる選択候補表示方法、選択候補表示装置および入出力装置を提供することである。
【課題を解決するための手段】
【０００８】
本発明は、選択可能な複数の選択候補を表示する選択候補表示方法であって、
各選択候補を識別するための識別情報の中から予め定める基準数から１を減算した数の識別情報を予め定める選択条件に従って選択する選択ステップと、
選択ステップで選択された識別情報、および選択候補の変更を指示するための変更指示情報を、予め定める円形の円領域を前記基準数で分割された各領域に割り当てる割当ステップと、
前記基準数で分割された円領域を表す円領域情報を表示し、さらに表示された円領域情報が示す分割された円領域の各領域に、割当ステップで各領域に割り当てられた識別情報および変更指示情報を表示する表示ステップと、
表示されていない識別情報を表示させるための予め定める操作が行われたとき、各選択候補の識別情報の中から、表示されていない識別情報を含み、かつ前記基準数から１を減算した数の識別情報を、予め定める操作に応じて新たに選択する再選択ステップとを含み、
表示ステップでは、再選択ステップで識別情報が新たに選択される度に、変更指示情報を表示する領域を前記予め定める操作に応じた方向に隣接する領域に移動して表示し、前記基準数で分割された領域のうち変更指示情報を表示する領域を除く残余の領域に、再選択ステップで新たに選択された識別情報を表示することを特徴とする選択候補表示方法である。
【０００９】
また本発明は、前記識別情報は、選択候補ごとに異なる数値情報を含み、
前記予め定める円形の円領域を前記基準数で、かつ前記円領域の中心を頂点とする扇形の領域に分割する分割ステップをさらに含み、
前記予め定める選択条件は、識別情報に含まれる数値情報が昇順にまたは降順であるという条件であり、
前記予め定める順序は、各識別情報に含まれる数値情報が前記円領域の中心に対して時計回りの方向に昇順あるいは降順となる順序であることを特徴とする。
【００１０】
また本発明は、選択候補の数が予め定める基準数よりも大きいか否かを判定する判定ステップをさらに含み、
前記判定ステップで選択候補の数が前記基準数以下であると判定された場合、
前記分割ステップでは、予め定める円領域を前記選択候補の数で分割し、
前記割当ステップでは、各選択候補のすべての識別情報を、前記分割ステップで分割された各領域に割り当て、
前記表示ステップでは、前記表示された円領域情報が示す分割された各領域に、前記割当ステップで各領域に割り当てられた識別情報を表示することを特徴とする。
【００１１】
また本発明は、選択可能な複数の選択候補を表示する選択候補表示装置であって、
予め定める基準数の領域に分割された予め定める円形の円領域を表す円領域情報を表示する表示手段と、
各選択候補を識別するための識別情報の中から前記基準数から１を減算した数の識別情報を予め定める選択条件に従って選択する選択手段と、
選択手段によって選択された識別情報、および選択候補の変更を指示するための変更指示情報を、表示手段に表示される円領域情報が示す円領域の各領域に割り当てる割当手段と、
表示手段に表示される円領域情報が示す円領域の各領域に、割当手段によって各領域に割り当てられた識別情報および変更指示情報を表示手段に表示させる表示制御手段と、
表示手段に表示される領域のうち変更指示情報が表示されている領域に対する予め定める操作を行う操作手段と、
操作手段によって予め定める操作が行われたとき、各選択候補の識別情報の中から、表示されていない識別情報を含み、かつ前記基準数から１を減算した数の識別情報を、予め定める操作に応じて新たに選択する再選択手段とを含み、
表示制御手段は、再選択手段によって識別情報が新たに選択される度に、変更指示情報を表示する領域を前記予め定める操作に応じた方向に隣接する領域に移動して表示手段に表示させ、表示手段に表示される円領域情報が示す領域のうち変更指示情報が表示される領域を除く残余の領域に、再選択手段によって新たに選択された識別情報を表示手段に表示させることを特徴とする選択候補表示装置である。
【００１２】
また本発明は、前記選択候補表示装置と、
前記選択候補表示装置に含まれる表示手段に表示される領域のうち識別情報が表示される領域を操作する識別候補操作手段、および識別候補操作手段によって操作された領域の位置を表す位置情報を出力する位置情報出力手段を含む出力装置とを含むことを特徴とする入出力装置である。
【発明の効果】
【００１３】
本発明によれば、選択可能な複数の選択候補を表示するにあたって、選択ステップでは、各選択候補を識別するための識別情報の中から予め定める基準数から１を減算した数の識別情報を予め定める選択条件に従って選択する。割当ステップでは、選択ステップで選択された識別情報、および選択候補の変更を指示するための変更指示情報を、予め定める円形の円領域を前記基準数で分割された各領域に割り当てる。
【００１４】
表示ステップでは、前記基準数で分割された円領域を表す円領域情報を表示し、さらに表示された円領域情報が示す分割された円領域の各領域に、割当ステップで各領域に割り当てられた識別情報および変更指示情報を表示する。再選択ステップでは、表示されていない識別情報を表示させるための予め定める操作が行われたとき、各選択候補の識別情報の中から、表示されていない識別情報を含み、かつ前記基準数から１を減算した数の識別情報を、予め定める操作に応じて新たに選択する。
【００１５】
さらに、表示ステップでは、再選択ステップで識別情報が新たに選択される度に、変更指示情報を表示する領域を前記予め定める操作に応じた方向に隣接する領域に移動して表示し、分割ステップで分割された領域のうち変更指示情報を表示する領域を除く残余の領域に、再選択ステップで新たに選択された識別情報を表示する。
【００１６】
したがって、本発明に係る選択候補表示方法を適用すれば、円領域を分割した領域の１つを、選択候補の変更を指示するための領域として使用し、その領域に対する操作で表示されていない選択候補を表示させることができるので、選択候補の数が増減してもすべての選択候補を無駄なく表示することができる。
【００１７】
また本発明によれば、選択可能な複数の選択候補を表示するにあたって、表示手段に、予め定める基準数の領域に分割された予め定める円形の円領域を表す円領域情報が表示され、選択手段によって、各選択候補を識別するための識別情報の中から前記基準数から１を減算した数の識別情報が予め定める選択条件に従って選択される。
【００１８】
そして、割当手段によって、選択手段によって選択された識別情報、および選択候補の変更を指示するための変更指示情報が、表示手段に表示される円領域情報が示す円領域の各領域に割り当てられ、表示制御手段によって、表示手段に表示される円領域情報が示す円領域の各領域に、割当手段によって各領域に割り当てられた識別情報および変更指示情報が表示手段に表示され、操作手段によって、表示手段に表示される領域のうち変更指示情報が表示されている領域に対する予め定める操作が行われる。
【００１９】
さらに、再選択手段によって、操作手段によって予め定める操作が行われたとき、各選択候補の識別情報の中から、表示されていない識別情報を含み、かつ前記基準数から１を減算した数の識別情報が、予め定める操作に応じて新たに選択され、表示制御手段によって、再選択手段によって識別情報が新たに選択される度に、変更指示情報を表示する領域が前記予め定める操作に応じた方向に隣接する領域に移動して表示手段に表示され、表示手段に表示される円領域情報が示す領域のうち変更指示情報が表示される領域を除く残余の領域に、再選択手段によって新たに選択された識別情報が表示手段に表示される。
【００２０】
したがって、円領域を分割した領域の１つを、選択候補の変更を指示するための領域として使用し、他の領域に表示される選択候補の選択操作と同様の操作で表示されていない選択候補を表示させることができるので、選択候補の数が増減してもすべての選択候補を無駄なく表示することができる。
【００２１】
また本発明によれば、前記選択候補表示装置と出力装置とを含み、出力装置に含まれる識別候補操作手段によって、前記選択候補表示装置に含まれる表示手段に表示される領域のうち識別情報が表示される領域が操作され、出力装置に含まれる位置情報出力手段によって、識別候補操作手段によって操作された領域の位置を表す位置情報が出力される。
【００２２】
したがって、選択候補の数が増減してもすべての選択候補を無駄なく表示し、さらに、識別情報が表示された領域を選択することによって所望の選択候補を選択することができる。
【発明を実施するための最良の形態】
【００２３】
図１は、本発明の実施の一形態である操作表示部１２を含む携帯端末装置１の外観図である。携帯端末装置（以下「携帯端末」という）１は、携帯型のテレビジョン（以下「ＴＶ」と略す）であり、ＴＶ表示部１１、操作表示部１２、電源ボタン１３およびＴＶアンテナ１４を含んで構成される。本発明に係る選択候補表示方法は、携帯端末装置１で処理される。
【００２４】
ＴＶ表示部１１は、たとえば液晶ディスプレイなどの表示装置によって構成され、画像情報などの情報を表示する。操作表示部１２は、円形の領域であるサークルパッド１２１が形成され、操作のための情報を表示および入力する。電源ボタン１３は、携帯端末装置１の電源を投入または切断するための操作ボタンである。ＴＶアンテナ１４は、テレビジョン放送などの信号を受信するアンテナである。
【００２５】
図２は、操作表示部１２の断面図である。図２に示した断面図は、図１に示した切断面線Ａ−Ａから見た断面図である。操作表示部１２は、サブ表示部層１２２、タッチパネル層１２３およびデバイス筐体１２４を含んで構成される。デバイス筐体１２４は、サブ表示部層１２２およびタッチパネル層１２３を層状に内包し、タッチパネル層１２３の一部を露出させる円形の開口部が形成される。サークルパッド１２１は、サブ表示部層１２２およびタッチパネル層１２３のうち、開口部によって形成される円領域の部分である。
【００２６】
サブ表示部層１２２は、たとえば液晶ディスプレイなどによって構成され、画像情報などの情報を表示する。タッチパネル層１２３は、たとえば指などが接触すると接触した位置を検出する。タッチパネル層１２３は、光を透過し、タッチパネル層１２３を通して、サブ表示部層１２２に表示される情報を見ることができる。
【００２７】
図３は、携帯端末装置１の構成を示すブロック図である。携帯端末装置１は、ＴＶ表示部１１、操作表示部１２、音出力部１６、ＴＶ受信部１７、位置取得部１８、制御部１９、ワークメモリ２０および放送局テーブル部２１を含んで構成される。
【００２８】
ＴＶ表示部１１は、ＴＶ受信部１７から受け取る画像信号を画像として表示する。操作表示部１２は、制御部１９から指示される情報をサブ表示部層１２２に表示し、タッチパネル層１２３によって検出される位置を表す位置情報を制御部１９に送る。
【００２９】
音出力部１６は、たとえばスピーカなどによって構成され、ＴＶ受信部１７から受け取る音信号を音として出力する。ＴＶ受信部１７は、制御部１９から指示されるチャネルのテレビジョン放送を受信して、映像信号と音信号とに復調する。そして、画像信号をＴＶ表示部１１に送って表示させ、音信号を音出力部１６に送って出力させる。位置取得部１８は、たとえばＧＰＳを用いて、携帯端末装置１の所在地、具体的には緯度および経度を検出する装置であり、検出した緯度および経度を表す所在地情報を制御部１９に送る。
【００３０】
制御部１９は、たとえば記憶装置と中央処理装置（Central Processing Unit：以下「ＣＰＵ」という）とを含んで構成される。記憶装置は、たとえば半導体メモリあるいはハードディスク装置によって構成され、プログラムを記憶する。ＣＰＵは、記憶装置に記憶されるプログラムを実行して、操作表示部１２、ＴＶ受信部１７および位置取得部１８を制御する。
【００３１】
ワークメモリ２０は、たとえば半導体メモリによって構成され、制御部１９が処理を行うために一時的に必要な情報を記憶するためのメモリである。放送局テーブル部２１は、たとえば不揮発性の半導体メモリによって構成され、制御部１９が処理を行うために必要な後述する受信可能放送局テーブル３１などのテーブルを記憶する。
【００３２】
操作表示部１２および制御部１９は、選択候補表示装置であり、入出力装置でもある。位置取得部１８および制御部１９は、検出手段であり、制御部１９は、判定手段、分割手段、選択手段、割当手段、表示制御手段および再選択手段であり、サブ表示部層１２２は、表示手段であり、タッチパネル層１２３は、操作手段および識別候補操作手段であり、操作表示部１２は、位置情報出力手段および出力装置である。
【００３３】
図４は、受信可能放送局テーブル３１の一例を示す図である。受信可能放送局テーブル３１は、各地域で受信可能な放送局を示すテーブルであり、「Ｎｏ．」、「エリア名」、「開始位置」、「終了位置」、「受信可能放送局数」および「受信可能放送局」の項目を含む。
【００３４】
「Ｎｏ．」は、各地域に付与された番号であり、「エリア名」は、各地域を識別するための識別情報である。地域（以下「エリア」ともいう）は、たとえば矩形で区画された個々の領域であり、矩形の対角のうちの１つの対角の２つの頂点の緯度および経度で定義される。開始位置は、２つの頂点のうちの１つの頂点の緯度および経度であり、終了位置は、他の頂点の緯度および経度である。受信可能放送局テーブル３１では、緯度および経度を（Ｘ，Ｙ）で表す。Ｘは経度であり、Ｙは緯度である。受信可能放送局数は、各地域で受信可能な放送局の数である。「受信可能放送局」は、放送局名ごと、具体的には「放送局１」〜「放送局ｎ」ごとに、各地域でその放送局が受信可能であるか否かを示す。「１」は受信可能であり、「０」は受信不可であることを示す。
【００３５】
図４に示した受信可能放送局テーブル３１には、各「Ｎｏ．」についての「エリア名」、「開始位置」、「終了位置」、「受信可能放送局数」、「放送局１」、「放送局２」、「放送局３」、「放送局４」および「放送局ｎ」は、Ｎｏ．「１」については、「エリアＡ」、「（Ｘａｓ，Ｙａｓ）」、「（Ｘａｅ，Ｙａｅ）」、「１０」、「１」、「１」、「１」、「１」および「１」であり、Ｎｏ．「２」については、「エリアＢ」、「（Ｘｂｓ，Ｙｂｓ）」、「（Ｘｂｅ，Ｙｂｅ）」、「１１」、「１」、「１」、「１」、「１」および「１」であり、Ｎｏ．「３」については、「エリアＣ」、「（Ｘｃｓ，Ｙｃｓ）」、「（Ｘｃｅ，Ｙｃｅ）」、「１０」、「１」、「１」、「１」、「１」および「１」であり、Ｎｏ．「６」については、「エリアＦ」、「（Ｘｆｓ，Ｙｆｓ）」、「（Ｘｆｅ，Ｙｆｅ）」、「５」、「０」、「０」、「０」、「１」および「１」であり、Ｎｏ．「７」については、「エリアＧ」、「（Ｘｇｓ，Ｙｇｓ）」、「（Ｘｇｅ，Ｙｇｅ）」、「６」、「０」、「０」、「０」、「１」および「１」であり、Ｎｏ．「８」については、「エリアＨ」、「（Ｘｈｓ，Ｙｈｓ）」、「（Ｘｈｅ，Ｙｈｅ）」、「５」、「０」、「０」、「０」、「１」および「１」であり、Ｎｏ．「９」については、「エリアＩ」、「（Ｘｉｓ，Ｙｉｓ）」、「（Ｘｉｅ，Ｙｉｅ）」、「４」、「０」、「０」、「０」、「０」および「０」であり、Ｎｏ．「１０」については、「エリアＪ」、「（Ｘｊｓ，Ｙｊｓ）」、「（Ｘｊｅ，Ｙｊｅ）」、「５」、「０」、「０」、「０」、「１」および「１」であり、Ｎｏ．「１１」については、「エリアＫ」、「（Ｘｋｓ，Ｙｋｓ）」、「（Ｘｋｅ，Ｙｋｅ）」、「６」、「０」、「０」、「１」、「１」および「１」であり、Ｎｏ．「１２」については、「エリアＬ」、「（Ｘｌｓ，Ｙｌｓ）」、「（Ｘｌｅ，Ｙｌｅ）」、「７」、「０」、「１」、「１」、「１」および「１」であり、Ｎｏ．「１３」については、「エリアＭ」、「（Ｘｍｓ，Ｙｍｓ）」、「（Ｘｍｅ，Ｙｍｅ）」、「７」、「０」、「１」、「１」、「１」および「１」である。
【００３６】
図５は、地域に区画された地図４１の一例を示す図である。地図４１には、矩形で区画された６つの地域、エリアＦ〜エリアＫの地域が示されている。制御部１９は、受信可能放送局テーブル３１を参照して、位置取得部１８から受け取る所在地情報が示す緯度および経度に対応するエリア名を特定して、携帯端末装置１が現在所在する地域で受信可能な放送局数を知ることができる。
【００３７】
図６は、サークルパッド１２１を分割した物理領域を示す図である。サークルパッド１２１の円領域が１２の物理領域に区画されている。１つの物理領域は、扇形であり、円領域の円の中心が扇形の頂点である。図６に示した物理領域には、円の中心に対して時計回りの方向にＰ１〜Ｐ１２と示されている。Ｐ１〜Ｐ１２は、制御部１９が各物理領域を識別するための識別情報であり、サークルパッド１２１には表示されない。制御部１９は、サークルパッド１２１から受け取る位置情報から、指がどの物理領域に接触したかを知ることができる。
【００３８】
図７は、物理領域割当テーブル３２の一例を示す図である。図７に示した物理領域割当テーブル３２は、サークルパッド１２１の円領域を最大４つの放送局に割り当てる例である。以下、円領域に割り当てる放送局の最大の数を基準数という。図７に示した例では、基準数は「４」である。
【００３９】
物理領域割当テーブル３２は、「受信可能放送局数」および「サークルパッドの割当物理領域」の項目を含む。「受信可能放送局数」は、各地域で受信可能な放送局の数である。「サークルパッドの割当物理領域」は、チャネル番号「Ｃ１」〜「Ｃ４」ごとに割り当てられる物理領域を、物理領域の識別情報によって示す。識別情報であるチャネル番号は、各放送局に割り当てられるチャネルを識別するための情報である。各放送局に割り当てられる選択候補であるチャネルが地域によって異なる場合は、各放送局とチャネルとの対応を表すテーブルを用意しておいて対応付ける。
【００４０】
図７に示した物理領域割当テーブル３２には、受信可能放送局数「１」について、チャネル番号「Ｃ１」に物理領域Ｐ１〜Ｐ１２が割り当てられ、受信可能放送局数「２」について、チャネル番号「Ｃ１」に物理領域Ｐ１〜Ｐ６、およびチャネル番号「Ｃ２」に物理領域Ｐ７〜Ｐ１２が割り当てられ、受信可能放送局数「３」について、チャネル番号「Ｃ１」に物理領域Ｐ１〜Ｐ４、チャネル番号「Ｃ２」に物理領域Ｐ５〜Ｐ８、およびチャネル番号「Ｃ３」に物理領域Ｐ９〜Ｐ１２が割り当てられ、受信可能放送局数「４」について、チャネル番号「Ｃ１」に物理領域Ｐ１〜Ｐ３、チャネル番号「Ｃ２」に物理領域Ｐ４〜Ｐ６、チャネル番号「Ｃ３」に物理領域Ｐ７〜Ｐ９、およびチャネル番号「Ｃ４」に物理領域Ｐ１０〜Ｐ１２が割り当てられることが示されている。
【００４１】
制御部１９は、物理領域割当テーブル３２に基づいて、携帯端末装置１が現在所在する地域で受信可能な放送局のチャネルに物理領域を割り当てる。
【００４２】
図８は、放送局が割り当てられたサークルパッド１２１の例を示す図である。図８（ａ）に示したサークルパッド１２１ａは、受信可能放送局数が「１」の場合であり、チャネル番号「Ｃ１」に１２個の物理領域、すなわち円領域の全領域が割り当てられている。
【００４３】
受信可能な放送局が複数ある場合は、各放送局のチャネル番号を、たとえば時計回りに昇順あるいは降順に表示する。以下の例では、時計回りに昇順に表示する例を示す。図８（ｂ）に示したサークルパッド１２１ｂは、受信可能放送局数が「２」の場合であり、チャネル番号「Ｃ１」および「Ｃ２」にそれぞれ６個の物理領域、すなわち円領域の半分の領域が割り当てられている。図８（ｃ）に示したサークルパッド１２１ｃは、受信可能放送局数が「３」の場合であり、チャネル番号「Ｃ１」〜「Ｃ３」にそれぞれ４個の物理領域、すなわち円領域の３分の１の領域が割り当てられている。図８（ｄ）に示したサークルパッド１２１ｄは、受信可能放送局数が「４」の場合であり、チャネル番号「Ｃ１」〜「Ｃ４」にそれぞれ３個の物理領域、すなわち円領域の４分の１の領域が割り当てられている。
【００４４】
図９は、サークルパッド１２１の論理領域と物理領域との関係を示す図である。放送局数が５以上の場合、論理領域を用いて、各放送局に物理領域を割り当てる。図９（ａ）は、１２個の物理領域Ｐ１〜Ｐ１２を４個の論理領域Ｒ１〜Ｒ４に割り当てたサークルパッド１２１ｅの一例である。論理領域Ｒ１には、物理領域Ｐ１〜Ｐ３を割り当て、論理領域Ｒ２には、物理領域Ｐ４〜Ｐ６を割り当て、論理領域Ｒ３には、物理領域Ｐ７〜Ｐ９を割り当て、論理領域Ｒ４には、物理領域Ｐ１０〜Ｐ１２を割り当てている。論理領域と物理領域との対応を示す論理領域割当表を表１に示す。
【００４５】
【表１】
0004758408.tif 000002
【００４６】
図９（ｂ）は、４個の論理領域のうち３個の論理領域に３個のチャネルを割り当て、残りの１個の論理領域にスクロール領域を割り当てたサークルパッド１２１ｆの一例である。論理領域Ｒ１には、チャネル番号「Ｃ１」の放送局を割り当て、論理領域Ｒ２には、チャネル番号「Ｃ２」の放送局を割り当て、論理領域Ｒ３には、チャネル番号「Ｃ３」の放送局を割り当て、論理領域Ｒ４には、スクロール領域Ｓを割り当てている。論理領域Ｒ１〜Ｒ３には、チャネル番号「Ｃ１」〜「Ｃ３」が表示され、論理領域Ｒ４には、スクロール領域Ｓであることを表すスクロール情報「Ｓ」が表示されている。スクロール情報「Ｓ」は、変更指示情報である。論理領域と放送局およびスクロール領域との対応を示す放送局割当表を表２に示す。
【００４７】
【表２】
0004758408.tif 000003
【００４８】
図１０は、スクロール領域Ｓを操作したときのサークルパッド１２１の状態遷移の一例を示す図である。サークルパッド１２１の円領域を最大４つの放送局に割り当て、受信可能放送局数ｎが５以上の場合の例である。
【００４９】
実線の矢印は、右回転ドラッグ操作による遷移を示し、点線の矢印は、左回転ドラッグ操作による遷移を示す。右回転ドラッグ操作は、たとえばスクロール領域Ｓの領域内に指を接触させ、このまま、指を時計回りに隣接する論理領域に移動させる操作であり、左回転ドラッグ操作は、たとえばスクロール領域Ｓの領域内に指を接触させ、このまま、指を反時計回りに隣接する論理領域に移動させる操作である。
【００５０】
状態Ｊ１は、初期状態であり、図９（ｂ）に示したサークルパッド１２１ｆの状態と同じ状態である。状態Ｊ２は、状態Ｊ１で、スクロール領域Ｓに対して右回転ドラッグ操作が行われたことによって遷移する状態である。状態Ｊ２では、論理領域Ｒ１にスクロール領域Ｓが移動し、論理領域Ｒ４に新たにチャネル番号「Ｃ４」の放送局が割り当てられている。状態Ｊ３は、状態Ｊ２で、スクロール領域Ｓに対して右回転ドラッグ操作が行われたことによって遷移する状態である。状態Ｊ３では、論理領域Ｒ２にスクロール領域Ｓが移動し、論理領域Ｒ１に新たにチャネル番号「Ｃ５」の放送局が割り当てられている。状態Ｊ４は、状態Ｊ３で、スクロール領域Ｓに対して右回転ドラッグ操作が行われたことによって遷移する状態である。状態Ｊ４では、論理領域Ｒ３にスクロール領域Ｓが移動し、論理領域Ｒ２に新たにチャネル番号「Ｃ６」の放送局が割り当てられている。
【００５１】
状態Ｊｎは、状態Ｊ１で、スクロール領域Ｓに対して左回転ドラッグ操作が行われたことによって遷移する状態である。状態Ｊｎでは、論理領域Ｒ３にスクロール領域Ｓが移動し、論理領域Ｒ４に新たにチャネル番号「Ｃｎ」の放送局が割り当てられている。状態Ｊｎ−１は、状態Ｊｎで、スクロール領域Ｓに対して左回転ドラッグ操作が行われたことによって遷移する状態である。状態Ｊｎ−１では、論理領域Ｒ２にスクロール領域Ｓが移動し、論理領域Ｒ３に新たにチャネル番号「Ｃｎ−１」の放送局が割り当てられている。状態Ｊｎ−２は、状態Ｊｎ−１で、スクロール領域Ｓに対して左回転ドラッグ操作が行われたことによって遷移する状態である。状態Ｊｎ−２では、論理領域Ｒ１にスクロール領域Ｓが移動し、論理領域Ｒ２に新たにチャネル番号「Ｃｎ−２」の放送局が割り当てられている。
【００５２】
図１１は、放送局が割り当てられたサークルパッド１２１の他の例を示す図である。サークルパッド１２１の円領域を最大８つの放送局に割り当てる例である。すなわち基準数が「８」の例である。
【００５３】
図１１（ａ）は、受信可能放送局数が「３」の場合のサークルパッド１２１ｇを示す。サークルパッド１２１ｇの円領域が３等分され、それぞれの領域に、チャネル番号「２ｃｈ」、チャネル番号「４ｃｈ」およびチャネル番号「８ｃｈ」と表示されている。選択されている領域が他の領域と異なる表示形態、たとえば他の領域と異なる色で表示される。図１１（ａ）では、網掛けを付した領域が他の領域と異なる色であることを示している。
【００５４】
図１１（ｂ）は、受信可能放送局数が「４」の場合のサークルパッド１２１ｈを示す。サークルパッド１２１ｈの円領域が４等分され、それぞれの領域に、チャネル番号「１ｃｈ」、チャネル番号「３ｃｈ」、チャネル番号「５ｃｈ」、およびチャネル番号「１０ｃｈ」と表示されている。
【００５５】
図１１（ｃ）は、受信可能放送局数が「８」の場合のサークルパッド１２１ｊを示す。サークルパッド１２１ｊの円領域が８等分され、それぞれの領域に、チャネル番号「１ｃｈ」、チャネル番号「２ｃｈ」、チャネル番号「３ｃｈ」、チャネル番号「５ｃｈ」、チャネル番号「７ｃｈ」、チャネル番号「８ｃｈ」、チャネル番号「１０ｃｈ」、およびチャネル番号「１２ｃｈ」と表示されている。
【００５６】
図１１（ｄ）は、受信可能放送局数が「９」以上の場合のサークルパッド１２１ｋ、１２１ｍおよび１２１ｎを示す。受信可能放送局数が「９」以上の場合、８個の論理領域のうち７個の論理領域に放送局が割り当てられ、残りの１個の論理領域にスクロール領域Ｓが割り当てられる。
【００５７】
サークルパッド１２１ｋは、初期状態であり、論理領域Ｒ１〜Ｒ７に、チャネル番号「１ｃｈ」〜「７ｃｈ」の放送局がそれぞれ割り当てられ、論理領域Ｒ８に、スクロール領域Ｓが割り当てられる。サークルパッド１２１ｍは、サークルパッド１２１ｋの状態で右回転ドラッグ操作が行われて遷移した状態であれる。実線の矢印が右回転ドラッグ操作であることを示す。スクロール領域Ｓが論理領域Ｒ８から論理領域Ｒ１に移動し、論理領域Ｒ８にチャネル番号「９ｃｈ」の放送局が割り当てられる。サークルパッド１２１ｎは、サークルパッド１２１ｍの状態で右回転ドラッグ操作が行われて遷移した状態であれる。スクロール領域Ｓが論理領域Ｒ１から論理領域Ｒ２に移動し、論理領域Ｒ１にチャネル番号「１１ｃｈ」の放送局が割り当てられる。
【００５８】
図１２は、制御部１９が実行するチャネル表示処理の処理手順を示すフローチャートである。携帯端末装置１の電源が投入され、動作可能状態になるとステップＡ１に移る。
【００５９】
ステップＡ１では、位置取得部１８から現在の所在地を示す所在地情報を取得する。ステップＡ２では、受信可能放送局テーブル３１を参照して、取得した所在地情報が示す現在の所在地に対応するエリアのエリア名を特定し、特定したエリア名を変数ＣＡに設定する。ステップＡ３では、特定したエリアの受信可能放送局数を受信可能放送局テーブル３１から求め、変数ｎに設定する。
【００６０】
ステップＡ４では、変数ｎが「４」以下であるか否かを判定する。変数ｎが「４」以下であると、ステップＡ５に進み、変数ｎが「４」以下でないと、図１３に示すステップＡ２１に進む。ステップＡ５では、サークルパッド１２１の円領域をｎ個に等分に分割し、分割した円領域を表す円領域情報、たとえば領域の境界をサークルパッド１２１に表示する。ステップＡ６では、ｎ分割した各領域に受信可能放送局を割り当て、割り当てた受信可能放送局のチャネル番号をサークルパッド１２１の各領域に表示する。
【００６１】
ステップＡ７では、位置取得部１８から現在の所在地を示す所在地情報を取得する。ステップＡ８では、受信可能放送局テーブル３１を参照して、取得した所在地情報が示す現在の所在地に対応するエリアのエリア名を特定し、特定したエリア名を変数Ａに設定する。ステップＡ９では、変数ＣＡに設定したエリア名が変数Ａに設定したエリア名に一致するか否かを判定する。変数ＣＡに設定したエリア名が変数Ａに設定したエリア名に一致すると、すなわち同一エリアであると、ステップＡ１０に進み、変数ＣＡに設定したエリア名が変数Ａに設定したエリア名に一致しないと、すなわち同一エリアでないと、ステップＡ１２に進む。
【００６２】
ステップＡ１０では、サークルパッド１２１が操作されたか否かを判定する。サークルパッド１２１にタッチされると、たとえば指がサークルパッド１２１に接触すると、サークルパッド１２１が操作されたと判定して、ステップＡ１１に進む。サークルパッド１２１にタッチされないと、たとえば指がサークルパッド１２１に接触しないと、サークルパッド１２１が操作されないと判定して、ステップＡ７に戻る。
【００６３】
ステップＡ１１では、ＴＶ表示部１１に表示される画像を、操作された位置つまり指が接触した位置の論理領域に割り当てられている放送局に切り換えて、ステップＡ７に戻る。ステップＡ１２では、変数Ａに設定されているエリア名を変数ＣＡに設定して、ステップＡ３に戻る。
【００６４】
図１３は、制御部１９が実行するチャネル表示処理の処理手順を示すフローチャートである。図１２に示したステップＡ４で、変数ｎが「４」以下でないと、ステップＡ２１に移る。
【００６５】
ステップＡ２１では、サークルパッド１２１の円領域を４個の論理領域Ｒ１〜Ｒ４に等分に分割し、分割した論理領域の境界をサークルパッド１２１に表示する。
【００６６】
ステップＡ２２では、４分割した論理領域のうち３個の論理領域に受信可能放送局を割り当て、残りの１個の論理領域にスクロール領域Ｓを割り当てる。そして、割り当てた受信可能放送局のチャネル番号およびスクロール領域Ｓであることを示す情報をサークルパッド１２１の各論理領域に表示する。具体的には、論理領域Ｒ１に第１の受信可能放送局、論理領域Ｒ２に第２の受信可能放送局、論理領域Ｒ３に第３の受信可能放送局、および論理領域Ｒ４にスクロール領域Ｓを割り当て、論理領域Ｒ１〜Ｒ３には、たとえばチャネル番号「１ｃｈ」〜「３ｃｈ」をそれぞれ表示し、論理領域Ｒ４にスクロール領域Ｓであることを示す情報たとえば「Ｓ」を表示する。
【００６７】
ステップＡ２３では、位置取得部１８から現在の所在地を示す所在地情報を取得する。ステップＡ２４では、受信可能放送局テーブル３１を参照して、取得した所在地情報が示す現在の所在地に対応するエリアのエリア名を特定し、特定したエリア名を変数Ａに設定する。ステップＡ２５では、変数ＣＡに設定したエリア名が変数Ａに設定したエリア名に一致するか否かを判定する。変数ＣＡに設定したエリア名が変数Ａに設定したエリア名に一致すると、すなわち同一エリアであると、ステップＡ２６に進み、変数ＣＡに設定したエリア名が変数Ａに設定したエリア名に一致しないと、すなわち同一エリアでないと、ステップＡ２９に進む。
【００６８】
ステップＡ２６では、サークルパッド１２１が操作されたか否かを判定する。サークルパッド１２１にタッチされると、たとえば指がサークルパッド１２１に接触すると、サークルパッド１２１が操作されたと判定して、ステップＡ２７に進む。サークルパッド１２１にタッチされないと、たとえば指がサークルパッド１２１に接触しないと、サークルパッド１２１が操作されないと判定して、ステップＡ２３に戻る。
【００６９】
ステップＡ２７では、操作された論理領域が、スクロール領域Ｓが割り当てられている論理領域であるか否かを判定する。操作された論理領域が、スクロール領域Ｓが割り当てられている論理領域であると、図１４に示すステップＡ４１に進み、操作された論理領域が、スクロール領域Ｓが割り当てられている論理領域でないと、ステップＡ２８に進む。ステップＡ２８では、ＴＶ表示部１１に表示される画像を、操作された位置つまり指が接触した位置の論理領域に割り当てられている放送局に切り換えて、ステップＡ２３に戻る。ステップＡ２９では、変数Ａに設定されているエリア名を変数ＣＡに設定して、図１２に示したステップＡ３に戻る。
【００７０】
図１４は、制御部１９が実行するチャネル表示処理の処理手順を示すフローチャートである。図１３に示したステップＡ２７で、操作された論理領域が、スクロール領域Ｓが割り当てられている論理領域であると、ステップＡ４１に移る。
【００７１】
ステップＡ４１では、操作つまりタッチされたスクロール領域Ｓが割り当てられた論理領域の論理領域番号をスクロールポインタＳｐに設定する。論理領域番号は、論理領域Ｒ１が「１」であり、論理領域Ｒ２が「２」であり、論理領域Ｒ３が「３」であり、論理領域Ｒ４が「４」である。
【００７２】
ステップＡ４２では、右回転ドラッグ操作があったか否かを判定する。右回転ドラッグ操作があると、ステップＡ４７に進み、右回転ドラッグ操作がないと、ステップＡ４３に進む。ステップＡ４３では、左回転ドラッグ操作があったか否かを判定する。左回転ドラッグ操作があると、ステップＡ４５に進み、左回転ドラッグ操作がないと、ステップＡ４４に進む。
【００７３】
ステップＡ４４では、サークルパッド操作が終了したか否かを判定する。指がサークルパッド１２１から離れると、サークルパッド操作が終了したと判定し、図１３に示したステップＡ２３に戻り、指がサークルパッド１２１から離れないと、サークルパッド操作が終了していないと判定し、ステップＡ４２に戻る。
【００７４】
ステップＡ４５では、スクロールポインタＳｐが示す番号の論理領域に、受信可能放送局テーブル３１に示される現在のエリアで受信可能な放送局のうち、スクロールポインタＳｐが示す番号より「１」大きい番号の論理領域に割り当てられている放送局の１つ前の受信可能な放送局を割り当てる。１つ前の受信可能な放送局は、受信可能な放送局のチャネル番号を昇順に並べたとき、降順に１つ前のチャネル番号の放送局である。スクロールポインタＳｐが示す番号より「１」大きい番号の論理領域に割り当てられている放送局が、受信可能放送局テーブル３１に示される現在のエリアで受信可能な放送局のうち、最小のチャネル番号の放送局のときは、最大のチャネル番号の放送局を割り当てる。
【００７５】
さらに、スクロールポインタＳｐが示す番号より「１」小さい番号の論理領域に、スクロール領域Ｓを割り当てる。そして、スクロールポインタＳｐが示す番号の論理領域に、新たに割り当てた放送局のチャネル番号を表示し、スクロールポインタＳｐが示す番号より「１」小さい番号の論理領域に「Ｓ」を表示する。
【００７６】
図１４では、スクロールポインタＳｐが示す番号の論理領域を「Ｒ（Ｓｐ）論理領域」、スクロールポインタＳｐが示す番号より「１」少ない番号の論理領域を「Ｒ（Ｓｐ−１）論理領域」、スクロールポインタＳｐが示す番号より「１」大きい番号の論理領域を「Ｒ（Ｓｐ＋１）論理領域」と表している。
【００７７】
ステップＡ４６では、スクロールポインタＳｐの値から「１」を減算して、ステップＡ４２に戻る。スクロールポインタＳｐの値から「１」を減算して、スクロールポインタＳｐの値が「０」になったときは、スクロールポインタＳｐに「ｎ」を設定する。
【００７８】
ステップＡ４７では、スクロールポインタＳｐが示す番号の論理領域に、受信可能放送局テーブル３１に示される現在のエリアで受信可能な放送局のうち、スクロールポインタＳｐが示す番号より「１」小さい番号の論理領域に割り当てられている放送局の次に受信可能な放送局を割り当てる。次に受信可能な放送局は、受信可能な放送局のチャネル番号を昇順に並べたとき、昇順に次のチャネル番号の放送局である。スクロールポインタＳｐが示す番号より「１」小さい番号の論理領域に割り当てられている放送局が、受信可能放送局テーブル３１に示される現在のエリアで受信可能な放送局のうち、最大のチャネル番号の放送局のときは、最小のチャネル番号の放送局を割り当てる。
【００７９】
さらに、スクロールポインタＳｐが示す番号より「１」大きい番号の論理領域に、スクロール領域Ｓを割り当てる。そして、スクロールポインタＳｐが示す番号の論理領域に、新たに割り当てた放送局のチャネル番号を表示し、スクロールポインタＳｐが示す番号より「１」大きい番号の論理領域に、「Ｓ」を表示する。
【００８０】
ステップＡ４８では、スクロールポインタＳｐの値に「１」を加算して、ステップＡ４２に戻る。スクロールポインタＳｐの値に「１」を加算して、スクロールポインタＳｐの値が「ｎ＋１」になったときは、スクロールポインタＳｐに「１」を設定する。
【００８１】
ステップＡ１〜ステップＡ４は、判定ステップであり、ステップＡ２１は、分割ステップであり、ステップＡ２２は、選択ステップ、割当ステップおよび表示ステップであり、ステップＡ２７およびステップＡ４１〜ステップＡ４８は、再選択ステップである。
【００８２】
このように、選択可能な複数のチャネルを表示するにあたって、位置取得部１８および制御部１９によって、受信可能なチャネルの数が検出され、制御部１９によって、位置取得部１８および制御部１９によって検出されたチャネルの数が予め定める基準数よりも大きいか否かが判定され、制御部１９によって、制御部１９によってチャネルの数が前記基準数よりも大きいと判定された場合、予め定める円形の円領域が前記基準数で等分に分割され、サブ表示部層１２２によって、少なくとも制御部１９によって等分の領域に分割された円領域を表す円領域情報たとえば各領域の境界が表示され、制御部１９によって、各チャネルを識別するためのチャネル番号の中から前記基準数から１を減算した数のチャネル番号が予め定める選択条件に従って選択される。
【００８３】
そして、制御部１９によって、制御部１９によって選択されたチャネル番号、およびチャネルの変更を指示するためのスクロール情報が、サブ表示部層１２２に表示される円領域情報が示す円領域の各領域に割り当てられ、制御部１９によって、サブ表示部層１２２に表示される円領域情報が示す円領域の各領域に、制御部１９によって各領域に割り当てられたチャネル番号およびスクロール情報がサブ表示部層１２２に表示され、タッチパネル層１２３によって、サブ表示部層１２２に表示される領域のうちスクロール情報が表示されている領域に対する予め定める操作が行われる。
【００８４】
さらに、制御部１９によって、タッチパネル層１２３によって予め定める操作が行われたとき、各チャネルのチャネル番号の中から、表示されていないチャネル番号を含み、かつ前記基準数から１を減算した数のチャネル番号が、予め定める操作に応じて新たに選択され、制御部１９によって、制御部１９によってチャネル番号が新たに選択される度に、スクロール情報を表示する領域が前記予め定める操作に応じた方向に隣接する領域に移動してサブ表示部層１２２に表示され、サブ表示部層１２２に表示される円領域情報が示す領域のうちスクロール情報が表示される領域を除く残余の領域に、制御部１９によって新たに選択されたチャネル番号がサブ表示部層１２２に表示される。
【００８５】
したがって、円領域を分割した領域の１つを、表示されるチャネル番号の変更を指示するための領域として使用し、他の領域に表示されるチャネル番号の選択操作と同様の操作で表示されていないチャネル番号を表示させることができるので、チャネルの数が増減してもすべてのチャネル番号を無駄なく表示することができる。
【００８６】
さらに、操作表示部１２を含み、操作表示部１２に含まれるタッチパネル層１２３によって、操作表示部１２に含まれるサブ表示部層１２２に表示される領域のうちチャネル番号が表示される領域が操作され、操作表示部１２によって、タッチパネル層１２３によって操作された領域の位置を表す位置情報が出力される。
【００８７】
したがって、チャネルの数が増減してもすべてのチャネル番号を無駄なく表示し、さらに、チャネル番号が表示された領域を選択することによって所望のチャネルを選択することができる。
【００８８】
このように、円領域が形成されたサークルパッド１２１を用いることによって、操作表示部１２のサイズを固定化することができるので、商品のデザイン設計およびアプリケーション画面設計などを容易に行えるようにすることができる。たとえば、すでに商品化されている製品に用いられているカーソルキーの置き換えとして、商品の企画段階でのスペック検討が容易になり、すでにある金型を利用することができるか否かの検討も容易に行うことができる。したがって、開発期間を短縮し、かつ開発コストを低減し、商品の低価格化を図ることができる。
【００８９】
さらに、選択可能な複数のチャネルを表示するにあたって、ステップＡ１〜ステップＡ４では、チャネルの数が予め定める基準数よりも大きいか否かを判定する。ステップＡ２１では、ステップＡ１〜ステップＡ４でチャネルの数が前記基準数よりも大きいと判定された場合、予め定める円形の円領域を前記基準数で等分に分割する。ステップＡ２２では、各チャネルを識別するためのチャネル番号の中から前記基準数から１を減算した数のチャネル番号を予め定める選択条件に従って選択する。ステップＡ２２では、ステップＡ２２で選択されたチャネル番号、およびチャネルの変更を指示するためのスクロール情報を、ステップＡ２１で分割された各領域に割り当てる。
【００９０】
ステップＡ２２では、ステップＡ２１で分割された円領域を表す円領域情報を表示し、さらに表示された円領域情報が示す分割された円領域の各領域に、ステップＡ２２で各領域に割り当てられたチャネル番号およびスクロール情報を表示する。ステップＡ２７およびステップＡ４１〜ステップＡ４８では、表示されていないチャネル番号を表示させるための予め定める操作が行われたとき、各チャネルのチャネル番号の中から、表示されていないチャネル番号を含み、かつ前記基準数から１を減算した数のチャネル番号を、予め定める操作に応じて新たに選択する。
【００９１】
さらに、ステップＡ２２では、ステップＡ２７およびステップＡ４１〜ステップＡ４８でチャネル番号が新たに選択される度に、スクロール情報を表示する領域を前記予め定める操作に応じた方向に隣接する領域に移動して表示し、ステップＡ２１で分割された領域のうちスクロール情報を表示する領域を除く残余の領域に、ステップＡ２７およびステップＡ４１〜ステップＡ４８で新たに選択されたチャネル番号を表示する。
【００９２】
したがって、本発明に係る選択候補表示方法を適用すれば、円領域を分割した領域の１つを、表示されるチャネル番号の変更を指示するための領域として使用し、その領域に対する操作で表示されていないチャネル番号を表示させることができるので、チャネルの数が増減してもすべてのチャネル番号を無駄なく表示することができる。
【００９３】
さらに、チャネル番号は、チャネルごとに異なる数値情報を含み、ステップＡ２１では、前記円領域の中心を頂点とする扇形の領域に等分に分割し、前記予め定める選択条件は、チャネル番号に含まれる数値情報が昇順にまたは降順であるという条件であり、前記予め定める順序は、各チャネル番号に含まれる数値情報が前記円領域の中心に対して時計回りの方向に昇順あるいは降順となる順序であるので、選択候補の識別情報たとえばテレビあるいはラジオのチャネルをチャネル番号の昇順あるいは降順に円形に表示することができる。
【００９４】
さらに、ステップＡ１〜ステップＡ４でチャネルの数が前記基準数以下であると判定された場合、ステップＡ２１では、予め定める円領域を前記チャネルの数で等分に分割し、ステップＡ２２では、各チャネルのすべてのチャネル番号を、ステップＡ２１で分割された各領域に割り当て、ステップＡ２２では、前記表示された円領域情報が示す分割された各領域に、ステップＡ２２で各領域に割り当てられたチャネル番号を表示する。
【００９５】
したがって、チャネルの数が少ない場合は、すべてのチャネル番号を表示することができるので、表示されるチャネル番号の変更操作を行う必要がなく、操作を簡便にすることができる。
【図面の簡単な説明】
【００９６】
【図１】本発明の実施の一形態である操作表示部１２を含む携帯端末装置１の外観図である。
【図２】操作表示部１２の断面図である。
【図３】携帯端末装置１の構成を示すブロック図である。
【図４】受信可能放送局テーブル３１の一例を示す図である。
【図５】地域に区画された地図４１の一例を示す図である。
【図６】サークルパッド１２１を分割した物理領域を示す図である。
【図７】物理領域割当テーブル３２の一例を示す図である。
【図８】放送局が割り当てられたサークルパッド１２１の例を示す図である。
【図９】サークルパッド１２１の論理領域と物理領域との関係を示す図である。
【図１０】スクロール領域Ｓを操作したときのサークルパッド１２１の状態遷移の一例を示す図である。
【図１１】放送局が割り当てられたサークルパッド１２１の他の例を示す図である。
【図１２】制御部１９が実行するチャネル表示処理の処理手順を示すフローチャートである。
【図１３】制御部１９が実行するチャネル表示処理の処理手順を示すフローチャートである。
【図１４】制御部１９が実行するチャネル表示処理の処理手順を示すフローチャートである。
【符号の説明】
【００９７】
１  携帯端末
１１  ＴＶ表示部
１２  操作表示部
１３  電源ボタン
１４  ＴＶアンテナ
１６  音出力部
１７  ＴＶ受信部
１８  位置取得部
１９  制御部
２０  ワークメモリ
２１  放送局テーブル部
３１  受信可能放送局テーブル
３２  物理領域割当テーブル
４１  地図
１２１  サークルパッド
１２２  サブ表示部層
１２３  タッチパネル層
１２４  デバイス筐体
【図１】
0004758408.tif 000004
【図２】
0004758408.tif 000005
【図３】
0004758408.tif 000006
【図４】
0004758408.tif 000007
【図５】
0004758408.tif 000008
【図６】
0004758408.tif 000009
【図７】
0004758408.tif 000010
【図８】
0004758408.tif 000011
【図９】
0004758408.tif 000012
【図１０】
0004758408.tif 000013
【図１１】
0004758408.tif 000014
【図１２】
0004758408.tif 000015
【図１３】
0004758408.tif 000016
【図１４】
0004758408.tif 000017